(57)【要約】【課題】洗濯機外観面の変形や破損を抑制し得る洗濯機を提供するものである。【解決手段】洗濯機本体１１と、洗濯機本体１１の上部を構成する上部枠体１８と、を備え、梱包装置の上部緩衝材１７が当接する位置に、上部枠体１８と洗濯機本体の上面カバー１９との間に変形防止の受け部２０を形成する構成としたものである。これにより、洗濯機の梱包装置の積み上げ時等に高い荷重を受けた場合でも、洗濯機外観面の変形を抑えることができる。【選択図】図４
2020174999.tif 000002
【特許請求の範囲】
【請求項１】
洗濯機本体と、前記洗濯機本体の上部を構成する上部枠体とを備え、梱包装置の上部緩衝材が当接する位置に、前記上部枠体と洗濯機本体の上面カバーとの間に変形防止の受け部を形成する洗濯機。
【請求項２】
前記変形防止の受け部は、前記上部枠体に形成する受けリブにより構成する請求項１に記載の洗濯機。
【請求項３】
前記変形防止の受け部は、前記上面カバーに形成する受けリブにより構成する請求項１に記載の洗濯機。
【請求項４】
前記上部枠体に上受けリブを形成し、前記上面カバーには、前記上受けリブに対応する位置に下受けリブを形成し、前記上受けリブと前記下受けリブにより変形防止の受け部を構成する請求項１に記載の洗濯機。
【発明の詳細な説明】
【技術分野】
【０００１】
本発明は、洗濯機に関するものである。
【背景技術】
【０００２】
従来、この種の洗濯機は、梱包装置により梱包されて、保管、移送される。梱包装置には、洗濯機上部に発泡スチロール材の上部緩衝体を配置された構成とするものが知られている（例えば、特許文献１参照）。
【０００３】
図４は、特許文献１に記載された従来の洗濯機の梱包装置の要部断面図、図５は同洗濯機の梱包装置の分解斜視図を示すものである。
【０００４】
図４において、１は洗濯機、２はこの洗濯機１に装着された上部枠体である。３は上部枠体２の上方に配設した発泡スチロール製の緩衝体、４は包装箱、５は洗濯物出入口を開閉する蓋体である。緩衝材３は、図５に示すように、上部枠体２の左右に嵌合させて装着しに、洗濯機の揺動を阻止した状態で緩衝的に支持している。
【先行技術文献】
【特許文献】
【０００５】
【特許文献１】特開平７−９６９７４号公報
【発明の概要】
【発明が解決しようとする課題】
【０００６】
しかしながら、このような従来の構成では、例えば、梱包状態の洗濯機を積み上げて保管、或いは、移送する際に、天面側からの積み上げ荷重により緩衝体に圧力が加わり、緩衝体から上部枠体および蓋体の外観構成部品の受け面に積み上げ荷重が加わる。
【０００７】
近年は、洗濯機の大容量化、機能アップなどによる製品重量の増加や、洗濯投入口拡大やデザイン性向上のための蓋体の寸法拡大などにより、蓋体の座屈変形を考慮すると、緩衝体の受け面を蓋体上に配置することが困難になっている。上部枠体に緩衝体の受け面を設けると、上部枠体の荷重受け面積が小さくなり、積み上げ荷重の圧力が高くなる場合には、上部枠体の荷重受け面が座屈変形を生じ易くなり、洗濯機の外観面の変形や破損が発生する課題を有している。
【０００８】
本発明は、上記従来の課題を解決するもので、洗濯機外観面の変形や破損を抑制し得る洗濯機を提供することを目的としている。
【課題を解決するための手段】
【０００９】
本発明の洗濯機は、洗濯機本体と、前記洗濯機本体の上部を構成する上部枠体とを備え、梱包装置の上部緩衝材が当接する位置に、前記上部枠体と洗濯機本体の上面カバーとの間に変形防止の受け部を形成する構成である。
【００１０】
これにより、洗濯機の梱包装置の積み上げ時等に高い荷重を受けた場合でも、洗濯機外観面の変形を抑えることができる。
【発明の効果】
【００１１】
本発明の洗濯機は、梱包装置の積み上げ時等に高い荷重を受けた場合でも、洗濯機外観面の変形、破損を抑制することで、洗濯機の外観品位の向上を図ることができる。
【図面の簡単な説明】
【００１２】
【図１】本実施の形態における洗濯機の梱包装置の分解斜視図
【図２】同梱包装置の上面図
【図３】同梱包装置の図２におけるＡ−Ａ断面図
【図４】同梱包装置の図２におけるＡ−Ａ上部断面図
【図５】同梱包装置の図２におけるＡ−Ａ上部断面斜視図
【図６】同梱包装置の側面図
【図７】同梱包装置の図６におけるＢ−Ｂ断面図
【図８】従来の洗濯機の梱包装置の要部断面図
【図９】同梱包装置の斜視図
【発明を実施するための形態】
【００１３】
以下、本発明の実施の形態について、図面を参照しながら説明する。なお、本実施の形態によって本発明が限定されるものではない。
【００１４】
（実施の形態）
以下、図１〜図７を用いて実施の形態を説明する。
【００１５】
洗濯機本体１１は、発泡スチロールからなる台座１２に載置し、上面に傷防止用のシート１３を載置し、さらにシート１３の上に洗濯機本体１１上部全体を傷防止のポリカバー１４で覆っている。
【００１６】
この状態の洗濯機本体１１を、段ボール材からなる包装箱１５により被覆し、洗濯機本体１１の前面両側に、発泡スチロールからなる前面受け緩衝材１６を台座１２上に載置する。洗濯機本体１１の上方両側に発泡スチロールからなる上部緩衝材１７を挿入積載することにより、外部上方からの衝撃や荷重を緩和するように包装し、包装箱１５のフラップを図１の矢印方向に閉じた後に、バンド３０を巻装する。
【００１７】
図２に示すように、洗濯機本体１１の上部枠体１８には、蓋体２１を開閉自在に軸支する。蓋体２１は、洗濯投入口の拡大やデザイン性向上のために大型化している。これにより、上部緩衝材１７は、内側形状を、蓋体２１の寸法拡大に合わせて蓋体２１を厚み方向で逃がして、包装箱１５の上方荷重が蓋体２１上面に加わらない形状に形成している。
【００１８】
上部緩衝材１７の前部は、前面受け緩衝材１６を介して台座１２を介して載設される。上部緩衝材１７の後部は、上部枠体１８の形状に沿った受け面１７ａを備えている。上部枠体１８には、上部緩衝材１７の受け面１７ａの下方に位置する箇所の内側面にコの字形状の上受けリブ１８ａを設けている。洗濯機本体１１の上面カバー１９には、ロ形状の下受けリブ１９ａを備え、上受けリブ１８ａと下受けリブ１９ａは高さ方向で近接、または当節しており、変形防止の受け部２０の機能を構成している。
【００１９】
図７に示すように、変形防止の受け部２０は、上部枠体１８の後方両側に位置し、上部緩衝材１７の受け面１７ａの範囲の下部に配置している。
【００２０】
上部緩衝材１７の受け面１７ａの下方に位置する上部枠体１８の内側には、変形防止の受け部２０を形成している。これにより、洗濯機の梱包装置の保管時や搬送時に、梱包装置を積み上げて、下方に位置する梱包装置が高い荷重を受け場合でも、変形防止の受け部２０により上部枠体１８の剛性が向上し、洗濯機外観面の変形を抑制することができ、洗濯機外観面の変形、破損を防止し、洗濯機の外観品位向上を図ることができる。
【００２１】
なお、本実施の形態の洗濯機は、上部枠体１８と上面カバー１９との間隔が広い構成を想定して上受けリブ１８ａと下受けリブ１９ａを形成して変形防止の受け部２０とした。上部枠体１８と上面カバー１９との間隔が狭い構成であれば、変形防止の受け部２０は、上部枠体１８に、上面カバー１９に当接、または近接する受けリブを形成する構成としてもよく、上面カバー１９に、上部枠体１８に当接、または近接する受けリブを形成する構成としてもよい。また、上部枠体１８、または上面カバー１９に別部品を取り付けて変形防止の受け部２０を構成してもよい。
【産業上の利用可能性】
【００２２】
以上のように、本発明にかかる洗濯機は、包装箱の保管時や搬送時に洗濯機同士を積み上げ時に洗濯機外観面の変形、破損を防止することが可能となるので、洗濯機の外観品位向上を図ることができ、各種家庭用洗濯乾燥機等にも広く応用できる。
【符号の説明】
【００２３】
１１      洗濯機本体
１７      上部緩衝材
１７ａ    受け面
１８      上部枠体
１８ａ    上受けリブ
１９      上面カバー
１９ａ    下受けリブ
２０      変形防止の受け部
２１      蓋体
【図１】
2020174999.tif 000003
【図２】
2020174999.tif 000004
【図３】
2020174999.tif 000005
【図４】
2020174999.tif 000006
【図５】
2020174999.tif 000007
【図６】
2020174999.tif 000008
【図７】
2020174999.tif 000009
【図８】
2020174999.tif 000010
【図９】
2020174999.tif 000011